(57)【要約】【課題】  自律分散制御の通信システムにおけるＮＥが保持する制御プレーンパス情報とＮＭＳが保持する制御プレーンパス情報とを監査する際にＮＭＳの処理負荷を下げることが可能な通信装置を提供する。【解決手段】  通信装置（ＮＥ２０３）は、制御プレーンパスが設定された経路及び制御プレーンパスの利用したラベルを提示するために制御プレーンパスの情報をネットワーク管理システム（ＮＭＳ１）にて管理する通信システムに用いられる。通信装置（ＮＥ２０３）は、自装置が保持する制御プレーンパス情報とネットワーク管理システム（ＮＭＳ１）が保持する制御プレーンパス情報とを自律分散で比較検証する監査手段（監査処理部２３）と、監査手段（監査処理部２３）の比較検証結果をネットワーク管理システム（ＮＭＳ１）に送出する手段（装置制御処理部２５）とを有する。【選択図】      図２
2011239246.tif 000002
【特許請求の範囲】
【請求項１】
制御プレーンパスが設定された経路及び前記制御プレーンパスの利用したラベルを提示するために前記制御プレーンパスの情報をネットワーク管理システムにて管理する通信システムに用いる通信装置であって、
自装置が保持する制御プレーンパス情報と前記ネットワーク管理システムが保持する制御プレーンパス情報とを自律分散で比較検証する監査手段と、前記監査手段の比較検証結果を前記ネットワーク管理システムに送出する手段とを有することを特徴とする通信装置。
【請求項２】
自装置が送信元装置である場合に、前記制御プレーンパスの監査要求がある時に前記ネットワーク管理システムから送られてきた前記ネットワーク管理システムが保持する制御プレーンパス情報を当該制御プレーンパス上の隣接する装置に通知する手段を含み、
前記監査手段は、前記ネットワーク管理システムから送られてきた前記ネットワーク管理システムが保持する制御プレーンパス情報を自装置が保持する制御プレーンパス情報と比較検証することを特徴とする請求項１記載の通信装置。
【請求項３】
自装置が中継装置である場合に、前記制御プレーンパス上の隣接する装置から通知されてきた前記ネットワーク管理システムが保持する制御プレーンパス情報を当該制御プレーンパス上の隣接する装置に通知する手段を含み、
前記監査手段は、前記制御プレーンパス上の隣接する装置から送られてきた前記ネットワーク管理システムが保持する制御プレーンパス情報を自装置が保持する制御プレーンパス情報と比較検証することを特徴とする請求項２記載の通信装置。
【請求項４】
自装置が送信先装置である場合に、前記監査手段は、前記制御プレーンパス上の隣接する装置から通知されてきた前記ネットワーク管理システムが保持する制御プレーンパス情報を自装置が保持する制御プレーンパス情報と比較検証することを特徴とする請求項２または請求項３記載の通信装置。
【請求項５】
前記ネットワーク管理システムから複数の制御プレーンパスの監査要求が行われた場合に、前記監査手段は、前記複数の制御プレーンパス各々の情報を比較検証することを特徴とする請求項１から請求項４のいずれかに記載の通信装置。
【請求項６】
前記通信システムは、ＭＰＬＳ（Ｍｕｌｔｉ−Ｐｒｏｔｏｃｏｌ  Ｌａｂｅｌ  Ｓｗｉｔｃｈｉｎｇ）、ＧＭＰＬＳ（Ｇｅｎｅｒａｌｉｚｅｄ  ＭＰＬＳ）、ＭＰＬＳ−ＴＰ（ＭＰＬＳ−Ｔｒａｎｓｐｏｒｔ  Ｐｒｏｆｉｌｅ）、ＡＳＯＮ（Ａｕｔｏｍａｔｉｃａｌｌｙ  Ｓｗｉｔｃｈｅｄ  Ｏｐｔｉｃａｌ  Ｎｅｔｗｏｒｋ）を少なくとも含む自律分散制御ネットワークであることを特徴とする請求項１から請求項５のいずれかに記載の通信装置。
【請求項７】
上記の請求項１から請求項６のいずれか一つに記載の通信装置を含むことを特徴とする通信システム。
【請求項８】
制御プレーンパスが設定された経路及び前記制御プレーンパスの利用したラベルを提示するために前記制御プレーンパスの情報をネットワーク管理システムにて管理する通信システムに用いる制御プレーンパス監査方法であって、
通信装置が、自装置が保持する制御プレーンパス情報と前記ネットワーク管理システムが保持する制御プレーンパス情報とを自律分散で比較検証する監査処理と、前記監査処理の比較検証結果を前記ネットワーク管理システムに送出する処理とを実行することを特徴とする制御プレーンパス監査方法。
【発明の詳細な説明】
【技術分野】
【０００１】
本発明は通信装置、通信システム及びそれらに用いる制御プレーンパス監査方法に関し、特にＮＭＳ（Ｎｅｔｗｏｒｋ  Ｍａｎａｇｅｍｅｎｔ  Ｓｙｓｔｅｍ：ネットワーク管理システム）とＮＥ（Ｎｅｔｗｏｒｋ  Ｅｌｅｍｅｎｔ：通信装置）とからなる通信システムにおける制御プレーンパスの監査方法に関する。
【背景技術】
【０００２】
ＮＭＳは、制御プレーンパスが設定された経路や制御プレーンパスの利用したラベルを保守者に提示することを目的として制御プレーンパスの情報を管理している。
【０００３】
ＮＭＳ及びＮＥは、それぞれ制御プレーンパスの情報を保持しているが、ＮＥが保持する制御プレーンパス情報とＮＭＳが保持する制御プレーンパス情報とが、プログラムのバグや通信障害の理由によって一致しないことがある。
【０００４】
このため、ＮＥが保持する制御プレーンパス情報とＮＭＳが保持する制御プレーンパス情報とが一致していることを確認する手段が必要となる。ここで、以下説明では、ＮＥが保持する制御プレーンパス情報とＮＭＳが保持する制御プレーンパス情報とが一致しているか否かを検証することを監査と呼ぶこととする。
【０００５】
例えば、図１２に示すような通信システムでは、ＮＭＳが制御プレーンパス上の全てのＮＥから個別に制御プレーンパス情報を収集し、ＮＭＳにおいて、収集した制御プレーンパス情報とＮＭＳが保持する制御プレーンパス情報とを監査している。
【０００６】
上記のようなＮＭＳとしては、下記の特許文献１に記載されたネットワーク管理装置等のように、ネットワーク管理装置が経路情報を収集するシステムがある。
【先行技術文献】
【特許文献】
【０００７】
【特許文献１】特開２００８−０６６９８９号公報
【発明の概要】
【発明が解決しようとする課題】
【０００８】
上述したＮＭＳが制御プレーンパス上の全てのＮＥから個別に制御プレーンパス情報を収集する方法では、制御プレーンパスの監査を行う場合、制御プレーンパスのホップが多くなるほど、ＮＭＳが情報を取得するＮＥの数が増加し、ＮＭＳの処理負荷が増加するという問題がある。
【０００９】
そこで、本発明の目的は上記の問題点を解消し、自律分散制御の通信システムにおけるＮＥが保持する制御プレーンパス情報とＮＭＳが保持する制御プレーンパス情報とを監査する際にＮＭＳの処理負荷を下げることができる通信装置、通信システム及びそれらに用いる制御プレーンパス監査方法を提供することにある。
【課題を解決するための手段】
【００１０】
本発明による通信装置は、制御プレーンパスが設定された経路及び前記制御プレーンパスの利用したラベルを提示するために前記制御プレーンパスの情報をネットワーク管理システムにて管理する通信システムに用いる通信装置であって、
自装置が保持する制御プレーンパス情報と前記ネットワーク管理システムが保持する制御プレーンパス情報とを自律分散で比較検証する監査手段と、前記監査手段の比較検証結果を前記ネットワーク管理システムに送出する手段とを備えている。
【００１１】
本発明による通信システムは、上記の通信装置を含むことを特徴とする。
【００１２】
本発明による制御プレーンパス監査方法は、制御プレーンパスが設定された経路及び前記制御プレーンパスの利用したラベルを提示するために前記制御プレーンパスの情報をネットワーク管理システムにて管理する通信システムに用いる制御プレーンパス監査方法であって、
通信装置が、自装置が保持する制御プレーンパス情報と前記ネットワーク管理システムが保持する制御プレーンパス情報とを自律分散で比較検証する監査処理と、前記監査処理の比較検証結果を前記ネットワーク管理システムに送出する処理とを実行している。
【発明の効果】
【００１３】
本発明は、上記のような構成及び動作とすることで、自律分散制御の通信システムにおけるＮＥが保持する制御プレーンパス情報とＮＭＳが保持する制御プレーンパス情報とを監査する際にＮＭＳの処理負荷を下げることができるという効果が得られる。
【図面の簡単な説明】
【００１４】
【図１】本発明による通信システムの構成例を示すブロック図である。
【図２】本発明の第１の実施の形態による通信装置（ＮＥ）の構成例を示すブロック図である。
【図３】図２に示す通信装置（ＮＥ）におけるパス管理情報テーブルの構成例を示す図である。
【図４】本発明の第１の実施の形態によるネットワーク管理装置（ＮＭＳ）の構成例を示すブロック図である。
【図５】図４に示すネットワーク管理装置（ＮＭＳ）におけるパス管理情報テーブルの構成例を示す図である。
【図６】図４に示すネットワーク管理装置（ＮＭＳ）におけるクロスコネクト情報管理テーブルの構成例を示す図である。
【図７】本発明の第１の実施の形態によるネットワークの構成例を示すブロック図である。
【図８】本発明の第１の実施の形態による通信システムの動作を示すシーケンスチャートである。
【図９】本発明の第１の実施の形態における「制御プレーンパス監査要求情報」及び「制御プレーンパス情報監査メッセージ」の一例を示す図である。
【図１０】本発明の第１の実施の形態における「制御プレーンパス監査通知」の一例を示す図である。
【図１１】本発明の第２の実施の形態によるネットワークの構成例を示すブロック図である。
【図１２】本発明に関連するネットワークの構成例を示すブロック図である。
【発明を実施するための形態】
【００１５】
次に、本発明の実施の形態について図面を参照して説明する。まず、本発明による通信システムの概要について説明する。
【００１６】
本発明は、ＮＥ（Ｎｅｔｗｏｒｋ  Ｅｌｅｍｅｎｔ：通信装置）が保持する制御プレーンパス情報とＮＭＳ（Ｎｅｔｗｏｒｋ  Ｍａｎａｇｅｍｅｎｔ  Ｓｙｓｔｅｍ：ネットワーク管理システム）が保持する制御プレーンパス情報とを自律分散で監査する手段を提供するものである。
【００１７】
図１は本発明による通信システムの構成例を示すブロック図である。この図１を参照して本発明の特徴について説明する。尚、図１においては、ＮＥ２００，２０１，２０３，２０４，２０５各々のポート番号を円形内の数字で表しており、ＮＥ２００，２０１，２０３，２０４，２０５各々は、自律分散制御対応の通信装置である。
【００１８】
保守者は、ＮＭＳ１に制御プレーンパスＰＡＴＨ３０１の監査要求を行う［図１の（１）］。ＮＭＳ１は、保守者が指定した制御プレーンパスＰＡＴＨ３０１の送信元ＮＥ２００に制御プレーンパス監査要求を行う。この制御プレーンパス監査要求を行う際に、ＮＭＳ１は、ＮＭＳ１が保持する制御プレーンパスＰＡＴＨ３０１の情報をＮＥ２００に送信する［図１の（２）］。
【００１９】
ＮＥ２００は、ＮＭＳ１が保持する制御プレーンパスＰＡＴＨ３０１の情報を取得し、制御プレーンパスＰＡＴＨ３０１の隣接ＮＥであるＮＥ２０１に制御プレーンパス監査要求で受信した制御プレーンパスＰＡＴＨ３０１の情報を制御プレーンパス情報監査メッセージとして送信する。
【００２０】
ＮＥ２０１は、ＮＥ２００と同様に、ＮＭＳ１が保持する制御プレーンパスＰＡＴＨ３０１の情報を取得し、制御プレーンパスＰＡＴＨ３０１の隣接ＮＥであるＮＥ２０３に制御プレーンパス情報監査メッセージを送信する。
【００２１】
ＮＥ２０３は、ＮＥ２００，２０１と同様に、ＮＭＳ１が保持する制御プレーンパスＰＡＴＨ３０１の情報を取得し、制御プレーンパスＰＡＴＨ３０１の隣接ＮＥであるＮＥ２０５に制御プレーンパス情報監査メッセージを送信する［図１の（３）］。
【００２２】
制御プレーン監査要求を受信したＮＥ２００及び制御プレーンパス情報監査メッセージを受信したＮＥ２０１，２０３，２０５は、取得したＮＭＳ１の制御プレーンパスＰＡＴＨ３０１の情報と、それぞれ自装置（ＮＥ）が保持する制御プレーンパスＰＡＴＨ３０１の情報とを監査（比較検証）する。ＮＥ２００，２０１，２０３，２０５は、監査を行った結果をそれぞれＮＭＳ１に通知する［図１の（４）］。
【００２３】
ＮＭＳ１は、ＮＥ２００，２０１，２０３，２０５からそれぞれ通知されてきた監査結果通知を全て受信すると、その結果を保守者に応答する［図１の（５）］。
【００２４】
このように、本発明では、ＮＭＳ１が制御プレーンパスＰＡＴＨ３０１上の全てのＮＥ２００，２０１，２０３，２０５から個別に制御プレーンパス情報を収集し、ＮＭＳ１が監査を行うことをせず、ＮＭＳ１からの指示により制御プレーンパスＰＡＴＨ３０１上の各ＮＥ２００，２０１，２０３，２０５が自律分散で各ＮＥ２００，２０１，２０３，２０５が保持する制御プレーンパス情報とＮＭＳ１が保持する制御プレーンパス情報の監査を行うため、自律分散制御の通信システムにおけるＮＥが保持する制御プレーンパス情報とＮＭＳが保持する制御プレーンパス情報とを監査する際にＮＭＳの処理負荷を下げることができる。
【００２５】
図２は本発明の第１の実施の形態による通信装置（ＮＥ）の構成例を示すブロック図であり、図３は図２に示す通信装置（ＮＥ）におけるパス管理情報テーブルの構成例を示す図である。図２においては、上記の図１に示すＮＥ２０３の構成例を示しており、他のＮＥ２００，２０１，２０３，２０４，２０５も同様の構成となっている。
【００２６】
ＮＥ２０３は、記憶部２１と、監査メッセージ処理部２２と、監査処理部２３と、その他既存機能処理部２４と、装置制御処理部２５とから構成されており、記憶部２１は、ＮＥ制御プレーンパス情報記憶部２１１と、その他既存情報記憶部２１２とを備えている。
【００２７】
ＮＥ制御プレーンパス情報記憶部２１１は、図３に示すパス管理情報テーブルを記憶する記憶部である。パス管理情報テーブルには、そのＮＥにおける各制御プレーンパスのクロスコネクト情報やその他の属性を記憶している。これらの情報は、従来の自律分散制御対応通信装置に具備されており、例えば、図３に示すように、「ＰＡＴＨ  ＩＤ」，「Ｉｎ側ポート番号」，「Ｉｎ−ｌａｂｅｌ」，「前ノードＩＤ」，「Ｏｕｔ側ポート番号」，「Ｏｕｔ−ｌａｂｅｌ」，「次ノードＩＤ」，「その他」がある。
【００２８】
その他既存情報記憶部２１２は、一般的な自律分散制御対応通信装置が持つ情報を記憶する記憶部である。
【００２９】
装置制御処理部２５は、ＮＭＳ１からのコマンド要求の処理やＮＭＳ１への通知処理、隣接するＮＥ２０１，２０５からのシグナリング処理を適切な処理部に転送する処理部である。
【００３０】
監査メッセージ処理部２２は、ＮＭＳ１からの制御プレーンパス情報監査要求や隣接するＮＥ２０１，２０５からの制御プレーンパス情報監査メッセージをトリガとして、ＮＭＳ１が保持する制御プレーンパスの情報から隣接するＮＥ２０１，２０５宛の制御プレーンパス情報監査メッセージの作成を実施する処理部である。
【００３１】
監査処理部２３は、ＮＭＳ１からの制御プレーンパス情報監査要求や隣接するＮＥ２０１，２０５からの制御プレーンパス情報監査メッセージをトリガとして、ＮＭＳ１が保持する制御プレーンパスの情報と自装置（ＮＥ）が保持する制御プレーンパスの情報とを監査（比較検証）する処理部である。
【００３２】
その他既存機能処理部２４は、一般的な自律分散制御対応通信装置が持つ機能の処理部である。
【００３３】
図４は本発明の第１の実施の形態によるネットワーク管理装置（ＮＭＳ）の構成例を示すブロック図であり、図５は図４に示すネットワーク管理装置（ＮＭＳ）におけるパス管理情報テーブルの構成例を示す図であり、図６は図４に示すネットワーク管理装置（ＮＭＳ）におけるクロスコネクト情報管理テーブルの構成例を示す図である。
【００３４】
図４において、ＮＭＳ１は、記憶部１１と、監査通知処理部１２と、監査処理部１３と、その他既存機能処理部１４と、ＮＭＳ制御処理部１５とから構成されており、記憶部１１は、ＮＭＳ制御プレーンパス情報記憶部１１１と、その他既存情報記憶部１１２とを備えている。
【００３５】
ＮＭＳ制御プレーンパス情報記憶部１１１は、ネットワークに設定した全ての制御プレーンパスに関するクロスコネクト情報やその他の属性を記憶している。ＮＭＳ制御プレーンパス情報記憶部１１１は、図５に示すパス管理情報テーブルと図６に示すクロスコネクト情報管理テーブルとを記憶する記憶部である。
【００３６】
パス管理情報テーブルは、各制御プレーンパスの送信元ノードＩＤや送信先ノードＩＤ、各制御プレーンが通過する全てのＮＥのクロスコネクト情報を記録している。パス管理情報テーブルは、例えば、図５に示すように、「ＰＡＴＨ  ＩＤ」，「送信元ノードＩＤ」，「送信先ノードＩＤ」，「ノードＸＣ（クロスコネクト）情報」を記録している。
【００３７】
クロスコネクト情報管理テーブルは、各ＮＥのクロスコネクト設定を記録している。クロスコネクト情報管理テーブルは、例えば、図６に示すように、「ＮＥ  ＸＣ情報ＩＤ」，「ＮＥ  ＩＤ」，「Ｉｎ側ポート番号」，「Ｉｎ−ｌａｂｅｌ」，「Ｏｕｔ側ポート番号」，「Ｏｕｔ−ｌａｂｅｌ」，「その他」を記録している。
【００３８】
ＮＭＳ制御処理部１５は、保守者からの要求の処理やＮＥから受信する通知処理を適切な処理部に転送する処理部である。また、ＮＭＳ制御処理部１５は、保守者への応答処理やＮＥへの通知を行う処理部である。監査処理部１３は、保守者からのパス監査要求をトリガとしてパス監査要求に対するパスをパス管理情報テーブル、クロスコネクト情報管理テーブルから検索し、制御プレーンパス監査要求情報の作成を実施する処理部である。
【００３９】
監査通知処理部１２は、ＮＥから受信した制御プレーンパス監査通知を収集し、監査の結果を保守者へ応答する処理部である。その他既存機能処理部１４は、一般的なＮＭＳが持つ機能の処理部である。
【００４０】
図７は本発明の第１の実施の形態によるネットワークの構成例を示すブロック図である。図７においては、ＮＥ２００〜２０６各々のポート番号を円形内の数字で表しており、ＮＥ２００〜２０６各々は、自律分散制御対応の通信装置である。
【００４１】
本実施の形態では、ＭＰＬＳ（Ｍｕｌｔｉ−Ｐｒｏｔｏｃｏｌ  Ｌａｂｅｌ  Ｓｗｉｔｃｈｉｎｇ）／ＧＭＰＬＳ（Ｇｅｎｅｒａｌｉｚｅｄ  ＭＰＬＳ）／ＭＰＬＳ−ＴＰ（ＭＰＬＳ−Ｔｒａｎｓｐｏｒｔ  Ｐｒｏｆｉｌｅ）／ＡＳＯＮ（Ａｕｔｏｍａｔｉｃａｌｌｙ  Ｓｗｉｔｃｈｅｄ  Ｏｐｔｉｃａｌ  Ｎｅｔｗｏｒｋ）等の自律分散制御ネットワークを前提とする。
【００４２】
ＭＰＬＳ／ＧＭＰＬＳ／ＭＰＬＳ−ＴＰ／ＡＳＯＮ等の自律分散制御対応ネットワークは、ＭＰＬＳ／ＧＭＰＬＳ／ＭＰＬＳ−ＴＰ／ＡＳＯＮ等の自律分散制御に対応した通信装置（ＮＥ）及び通信リンクから構成されるネットワークである。
【００４３】
自律分散制御対応ネットワーク内でパスを設定する場合、各ノードは、自律分散制御で経路制御及びシグナリングを実行し、各ノードのラベル予約・スイッチ設定を行い、指定された始点・終点通信装置間のパスを設定／切断する。
【００４４】
本実施の形態で想定するネットワークでは、パケットやＴＤＭ（Ｔｉｍｅ  Ｄｉｖｉｓｉｏｎ  Ｍｕｌｔｉｐｌｅｘｉｎｇ：時分割多重）、ＷＤＭ（Ｗａｖｅｌｅｎｇｔｈ  Ｄｉｖｉｓｉｏｎ  Ｍｕｌｔｉｐｌｅｘｉｎｇ：波長多重）等の通信技術によってエンド・トゥ・エンドのパスを提供する。
【００４５】
自律分散制御対応通信装置（ＮＥ２００〜２０６）は、ラベル（パケット、タイムスロット、波長等の識別子）の情報に基づきクロスコネクト（または、スイッチング）を実施する。
【００４６】
また、自律分散制御対応通信装置（ＮＥ２００〜２０６）は、ＭＰＬＳ／ＧＭＰＬＳ／ＭＰＬＳ−ＴＰ／ＡＳＯＮ等の自律分散制御プロトコルによって、自律分散制御パスの経路制御やパス管理（パスの設定／維持／切断）を実施する。
【００４７】
自律分散制御対応通信装置間（ＮＥ２００〜２０６）は、１本またはそれ以上の光ファイバ等の通信リンク（ＤＬ５００〜ＤＬ５０９）で接続されている。自律分散制御対応通信装置（ＮＥ２００〜２０６）は、それぞれの光ファイバ等の通信リンクに対し、自律分散制御対応通信装置内でポートを一意のポート番号（円形内の数字１〜３）として管理を行っている。
【００４８】
また、自律分散制御対応通信装置（ＮＥ２００〜２０６）間は、制御メッセージ交換リンク（ＣＬ６００〜ＣＬ６０８）で接続されている。通信リンク（ＤＬ５００〜５０９）は、ユーザ情報が通るリンクであるのに対して、制御メッセージ交換リンク（ＣＬ６００〜ＣＬ６０８）は、自律分散制御対応通信装置（ＮＥ２００〜２０６）間の制御情報の交換に用いるリンクである。
【００４９】
ネットワークの運用方法によっては、通信リンク（ＤＬ５００〜ＤＬ５０９）と制御メッセージ交換リンク（ＣＬ６００〜ＣＬ６０８）とが同一の物理リンクを共有することもある。
【００５０】
ＮＭＳ１は、ネットワーク全体の通信装置の監視／保守（例：パスの設定・切断要求、通信装置撤去管理）を行う機能を持ち、保守者とネットワークとのインタフェースとなるシステムである。
【００５１】
ＮＭＳ１と各通信装置（ＮＥ２００〜２０６）とは、マネージメントリンク（ＭＬ４０１〜ＭＬ４０５）で接続され、ＮＭＳ１はマネージメントリンク（ＭＬ４０１〜ＭＬ４０５）を介して各通信装置（ＮＥ２００〜２０６）の設定を行う。
【００５２】
図８は本発明の第１の実施の形態による通信システムの動作を示すシーケンスチャートであり、図９は本発明の第１の実施の形態における「制御プレーンパス監査要求情報」及び「制御プレーンパス情報監査メッセージ」の一例を示す図であり、図１０は本発明の第１の実施の形態における「制御プレーンパス監査通知」の一例を示す図である。
【００５３】
これら図２〜図１０を参照して本発明の第１の実施の形態による通信システムの動作について説明する。尚、図１０において、送信元ＮＥはＮＥ２００であり、中継ＮＥはＮＥ２０１，２０３であり、送信先ＮＥはＮＥ２０５である。
【００５４】
保守者は、設定済みの制御プレーンパスＰＡＴＨ３０１を指定して制御プレーンパスの監査をＮＭＳ１に要求する（図８のａ１）。ＮＭＳ１の監査処理部１３は、図５に示すＮＭＳ１のパス管理情報テーブルを参照し、上記のａ１の処理で指定された制御プレーンパスＰＡＴＨ３０１のパス管理情報を検索する。
【００５５】
また、ＮＭＳ１の監査処理部１３は、図６に示すクロスコネクト情報テーブルを参照し、制御プレーンパスＰＡＴＨ３０１のパス管理情報内にあるノードクロスコネクト情報からクロスコネクト情報をすべて検索する。この例において、ノードクロスコネクト情報は、ノードクロスコネクト情報４０１０１，４０１０２，４０１０３，４０１０４，・・・が検索対象となる。
【００５６】
ＮＭＳ１の監査処理部１３は、検索したパス管理情報ＰＡＴＨ３０１及びノードクロスコネクト情報４０１０１，４０１０２，４０１０３，４０１０４，・・・から情報制御プレーンパス監査要求情報を作成する（図８のａ２）。図９に「制御プレーンパス監査要求情報」の一例を示す。
【００５７】
ＮＭＳ１のＮＭＳ制御処理部１５は、ＮＭＳ１の監査処理部１３が作成した制御プレーンパス監査要求情報を付与し、制御プレーンパス情報監査を制御プレーンパスＰＡＴＨ３０１の送信元ＮＥに要求する（図８のａ３）。
【００５８】
制御プレーンパスＰＡＴＨ３０１の送信元ＮＥの監査メッセージ処理部２２は、ＮＭＳ１から制御プレーンパス情報監査が要求されると、図３に示すパス管理情報テーブルを参照し、制御プレーンパス情報監査要求で受信したＮＭＳ１が保持する制御プレーンパスＰＡＴＨ３０１のパス管理情報を検索する。
【００５９】
制御プレーンパスＰＡＴＨ３０１の送信元ＮＥの監査メッセージ処理部２２は、検索した制御プレーンパスＰＡＴＨ３０１のパス管理情報から、制御プレーンパスＰＡＴＨ３０１の次ノードＩＤを検索する。
【００６０】
制御プレーンパスＰＡＴＨ３０１の送信元ＮＥの監査メッセージ処理部２２は、制御プレーンパス情報監査要求で受信したＮＭＳ１が保持する制御プレーンパスＰＡＴＨ３０１の情報を次ノードである中継ＮＥに制御プレーン情報監査メッセージとして送信する（図８のａ４）。
【００６１】
図９に「制御プレーン情報監査メッセージ」の一例を示す。「制御プレーン情報監査メッセージ」は、「メッセージＩＤ」、「ＰＡＴＨ  ＩＤ」、「送信元ＮＥ」、「送信先ＮＥ」、「ＮＭＳクロスコネクト情報０１」、「ＮＭＳクロスコネクト情報０２」、「ＮＭＳクロスコネクト情報０Ｘ」からなり、「ＮＭＳクロスコネクト情報０１」に「ＮＥ  ＩＤ」、「Ｉｎ−ｐｏｒｔ」、「Ｉｎ−ｌａｂｅｌ」、「Ｏｕｔ−ｐｏｒｔ」、「Ｏｕｔ−ｌａｂｅｌ」を含んでいる。
【００６２】
制御プレーンパスＰＡＴＨ３０１の送信元ＮＥの監査処理部２３は、ＮＭＳ１から制御プレーンパス情報監査を要求されると、図３に示すパス管理情報テーブルを参照し、制御プレーンパス情報監査要求で受信したＮＭＳ１が保持する制御プレーンパスＰＡＴＨ３０１のパス管理情報を検索する。
【００６３】
制御プレーンパスＰＡＴＨ３０１の送信元ＮＥの監査処理部２３は、情報監査要求で受信したＮＭＳ１が保持する制御プレーンパスＰＡＴＨ３０１の情報からＮＭＳクロスコネクト情報内のＮＥ  ＩＤがＮＥ２００である情報を検索する。
【００６４】
制御プレーンパスＰＡＴＨ３０１の送信元ＮＥの監査処理部２３は、検索したＮＥ２００が保持する制御プレーンパスＰＡＴＨ３０１のパス管理情報とＮＥ２００のＮＭＳクロスコネクト情報とを監査（比較検証）する（図８のａ５）。
【００６５】
制御プレーンパスＰＡＴＨ３０１の送信元ＮＥの装置制御処理部２５は、ＮＥ２００の監査処理部２３が監査した監査結果をＮＭＳ１に通知する（図８のａ６）。
【００６６】
図１０に「制御プレーンパス監査通知」の一例を示す。「制御プレーンパス監査通知」は、「メッセージＩＤ」、「ＰＡＴＨ  ＩＤ」、「送信元ＮＥ」、「送信先ＮＥ」、「監査結果」、「ＮＥクロスコネクト情報０１」、「ＮＥクロスコネクト情報０２」、「ＮＥクロスコネクト情報０Ｘ」からなり、「ＮＥクロスコネクト情報０１」に「ＮＥ  ＩＤ」、「Ｉｎ−ｐｏｒｔ」、「Ｉｎ−ｌａｂｅｌ」、「Ｏｕｔ−ｐｏｒｔ」、「Ｏｕｔ−ｌａｂｅｌ」を含んでいる。
【００６７】
制御プレーンパスＰＡＴＨ３０１の中継ＮＥの監査メッセージ処理部２２は、送信元ＮＥから制御プレーンパス情報監査メッセージを受信すると、送信元ＮＥから受信した制御プレーンパス情報監査メッセージの送信先ＮＥ情報を確認し、自ＮＥが送信先ＮＥかどうかを判断する（図８のａ７）。
【００６８】
本例において、制御プレーンパスＰＡＴＨ３０１の中継ＮＥであるＮＥ２０１，ＮＥ２０３が送信先ＮＥでないため、中継ＮＥは、自ＮＥが中継ＮＥであると判断する。制御プレーンパスＰＡＴＨ３０１の中継ＮＥの監査メッセージ処理部２２は、自ＮＥが中継ＮＥだと判断すると、図３に示すパス管理情報テーブルを参照し、制御プレーンパス情報監査メッセージで受信したＮＭＳ１が保持する制御プレーンパスＰＡＴＨ３０１のパス管理情報を検索する。
【００６９】
制御プレーンパスＰＡＴＨ３０１の中継ＮＥの監査メッセージ処理部２２は、検索した制御プレーンパスＰＡＴＨ３０１の情報から、制御プレーンパスＰＡＴＨ３０１の次ノードＩＤを検索する。
【００７０】
制御プレーンパスＰＡＴＨ３０１の中継ＮＥの監査メッセージ処理部２２は、送信元ＮＥから受信した制御プレーン情報監査メッセージを次ノード（ＮＥ２０１の場合は中継ＮＥであるＮＥ２０３、ＮＥ２０３の場合は送信先ＮＥであるＮＥ２０５）に送信する（図８のａ８）。
【００７１】
制御プレーンパスＰＡＴＨ３０１の中継ＮＥの監査処理部２３は、監査メッセージ処理部２２において自ＮＥが中継ＮＥだと判断すると、図３に示すパス管理情報テーブルを参照し、制御プレーンパス情報監査メッセージで受信したＮＭＳ１が保持する制御プレーンパスＰＡＴＨ３０１のパス管理情報を検索する。
【００７２】
制御プレーンパスＰＡＴＨ３０１の中継ＮＥの監査処理部２３は、制御プレーンパス情報監査メッセージで受信したＮＭＳ１が保持する制御プレーンパスＰＡＴＨ３０１の情報からＮＭＳクロスコネクト情報内のＮＥ  ＩＤがＮＥ２０１（またはＮＥ２０３）である情報を検索する。
【００７３】
制御プレーンパスＰＡＴＨ３０１の中継ＮＥの監査処理部２３は、検索したＮＥ２０１（またはＮＥ２０３）が保持する制御プレーンパスＰＡＴＨ３０１のパス管理情報とＮＥ２０１（またはＮＥ２０３）のＮＭＳクロスコネクト情報とを監査（比較検証）する（図８のａ９）。
【００７４】
制御プレーンパスＰＡＴＨ３０１の中継ＮＥの装置制御処理部２５は、監査処理部２３が監査した監査結果をＮＭＳ１に通知する（図８のａ１０）。
【００７５】
制御プレーンパスＰＡＴＨ３０１の送信先ＮＥの監査処理部２３は、監査メッセージ処理部２２において自ＮＥが送信先ＮＥだと判断すると（図８のａ１１）、図３に示すパス管理情報テーブルを参照し、制御プレーンパス情報監査メッセージで受信したＮＭＳ１が保持する制御プレーンパスＰＡＴＨ３０１のパス管理情報を検索する。
【００７６】
制御プレーンパスＰＡＴＨ３０１の送信先ＮＥの監査処理部２３は、制御プレーンパス情報監査メッセージで受信したＮＭＳ１が保持する制御プレーンパスＰＡＴＨ３０１の情報からＮＭＳクロスコネクト情報内のＮＥ  ＩＤがＮＥ２０５である情報を検索する。
【００７７】
制御プレーンパスＰＡＴＨ３０１の送信先ＮＥの監査処理部２３は、検索したＮＥが保持する制御プレーンパスＰＡＴＨ３０１のパス管理情報とＮＥ２０５のＮＭＳクロスコネクト情報とを監査（比較検証）する（図８のａ１２）。
【００７８】
制御プレーンパスＰＡＴＨ３０１の送信先ＮＥの装置制御処理部２５は、監査処理部２３が監査した監査結果をＮＭＳ１に通知する（図８のａ１３）。
【００７９】
ＮＭＳ１の監査通知処理部１２は、制御プレーンパスＰＡＴＨ３０１上の全てのＮＥ（ＮＥ２００，２０１，２０３，２０５）から制御プレーンパス監査通知を受信すると、監査結果を保守者に応答する（図８のａ１４）。
【００８０】
このように、本実施の形態では、ＮＭＳ１が制御プレーンパスＰＡＴＨ３０１上の全てのＮＥ（ＮＥ２００，２０１，２０３，２０５）から個別に制御プレーンパス情報を収集し、ＮＭＳ１が監査を行うことをせず、ＮＭＳ１からの指示により制御プレーンパスＰＡＴＨ３０１上の全てのＮＥ（ＮＥ２００，２０１，２０３，２０５）各々が自律分散制御でＮＥの管理プレーン情報をＮＥが保持する制御プレーンパス情報とＮＭＳ１が保持する制御プレーンパス情報との監査を行うため、ＭＰＬＳ／ＧＭＰＬＳ／ＭＰＬＳ−ＴＰ／ＡＳＯＮ等の自律分散制御の通信システムにおけるＮＥが保持する制御プレーンパス情報とＮＭＳ１が保持する制御プレーンパス情報とを監査する際にＮＭＳ１の処理負荷を下げることができる。
【００８１】
また、本実施の形態では、ＮＭＳ１が制御プレーンパスＰＡＴＨ３０１上の全てのＮＥ（ＮＥ２００，２０１，２０３，２０５）から個別に制御プレーンの情報を収集、監査を行うことをせず、ＮＭＳ１からの指示により複数のパスの制御プレーン情報を自律分散制御で同時に監査を行うため、ＭＰＬＳ／ＧＭＰＬＳ／ＭＰＬＳ−ＴＰ／ＡＳＯＮ等の自律分散制御の通信システムにおける通信システムにおけるＮＥが保持する制御プレーンパス情報とＮＭＳ１が保持する制御プレーンパス情報とを監査することを短時間で実現することができる。
【００８２】
図１１は本発明の第２の実施の形態によるネットワークの構成例を示すブロック図である。この図１１を参照して、本発明の第２の実施の形態によるネットワークについて説明する。
【００８３】
上述した本発明の第１の実施の形態では、ＮＭＳ１が１本の制御プレーンパス（ＰＡＴＨ３０１）を指定して１つのＮＥ（ＮＥ２００）に対して監査を要求している。
【００８４】
本実施の形態では、ＮＭＳ１が複数の制御プレーンパスを指定して１台のＮＥに対して監査を要求することができる（例えば、ＮＥ２００に対して制御プレーンパスＰＡＴＨ３０２と制御プレーンパスＰＡＴＨ３０３とのパスの監査を要求することができる）。
【００８５】
また、本実施の形態では、ＮＭＳ１が複数の制御プレーンパスを指定して複数のＮＥに対して監査を要求することができる。本実施の形態では、複数のＮＥに対して監査を要求することにより、上記の背景技術で説明した本発明に関連する通信システムと比較して、ＮＭＳ１の処理負荷を下げる効果がある。
【００８６】
これは、本発明に関連する通信システムにおいて監査対象のＮＥの数が増加するほど処理負荷が上がるのに対して、本実施の形態では、各ＮＥが自律分散制御で制御プレーンパス情報を監査するため、ＮＭＳ１の負荷が上がりにくいためである。
【００８７】
上記の実施の形態の一部又は全部は、以下の付記のようにも記載され得るが、以下の記載に限定されない。
【００８８】
［付記１］
制御プレーンパスが設定された経路及び前記制御プレーンパスの利用したラベルを提示するために前記制御プレーンパスの情報をネットワーク管理システムにて管理する通信システムに用いる制御プレーンパス監査方法であって、
通信装置が、前記通信装置が保持する制御プレーンパス情報と前記ネットワーク管理システムが保持する制御プレーンパス情報とを自律分散で比較検証する監査処理と、前記監査処理の比較検証結果を前記ネットワーク管理システムに送出する処理と、前記通信装置が送信元装置である場合に、前記制御プレーンパスの監査要求がある時に前記ネットワーク管理システムから送られてきた前記ネットワーク管理システムが保持する制御プレーンパス情報を当該制御プレーンパス上の隣接する装置に通知する処理とを実行し、
前記監査処理において、前記ネットワーク管理システムから送られてきた前記ネットワーク管理システムが保持する制御プレーンパス情報を前記通信装置が保持する制御プレーンパス情報と比較検証することを特徴とする制御プレーンパス監査方法。
【００８９】
［付記２］
前記通信装置は、前記通信装置が中継装置である場合に、前記制御プレーンパス上の隣接する装置から通知されてきた前記ネットワーク管理システムが保持する制御プレーンパス情報を当該制御プレーンパス上の隣接する装置に通知する処理を実行し、
前記監査処理において、前記制御プレーンパス上の隣接する装置から送られてきた前記ネットワーク管理システムが保持する制御プレーンパス情報を前記通信装置が保持する制御プレーンパス情報と比較検証することを特徴とする付記１に記載の制御プレーンパス監査方法。
【００９０】
［付記３］
前記通信装置は、前記通信装置が送信先装置である場合に、前記監査処理において、前記制御プレーンパス上の隣接する装置から通知されてきた前記ネットワーク管理システムが保持する制御プレーンパス情報を前記通信装置が保持する制御プレーンパス情報と比較検証することを特徴とする付記１または付記２に記載の制御プレーンパス監査方法。
【００９１】
［付記４］
前記ネットワーク管理システムから複数の制御プレーンパスの監査要求が行われた場合に、前記監査処理において、前記複数の制御プレーンパス各々の情報を比較検証することを特徴とする付記１から付記３のいずれかに記載の制御プレーンパス監査方法。
【００９２】
［付記５］
前記通信システムが、ＭＰＬＳ（Ｍｕｌｔｉ−Ｐｒｏｔｏｃｏｌ  Ｌａｂｅｌ  Ｓｗｉｔｃｈｉｎｇ）、ＧＭＰＬＳ（Ｇｅｎｅｒａｌｉｚｅｄ  ＭＰＬＳ）、ＭＰＬＳ−ＴＰ（ＭＰＬＳ−Ｔｒａｎｓｐｏｒｔ  Ｐｒｏｆｉｌｅ）、ＡＳＯＮ（Ａｕｔｏｍａｔｉｃａｌｌｙ  Ｓｗｉｔｃｈｅｄ  Ｏｐｔｉｃａｌ  Ｎｅｔｗｏｒｋ）を少なくとも含む自律分散制御ネットワークであることを特徴とする付記１から付記４のいずれかに記載の制御プレーンパス監査方法。
【符号の説明】
【００９３】
１  ＮＭＳ
１１  記憶部
１２  監査通知処理部
１３  監査処理部
１４  その他既存機能処理部
１５  ＮＭＳ制御処理部
２１  記憶部
２２  監査メッセージ処理部
２３  監査処理部
２４  その他既存機能処理部
２５  装置制御処理部
１１１  ＮＭＳ制御プレーンパス情報記憶部
１１２  その他既存情報記憶部
２００〜２０６  ＮＥ
２１１  ＮＥ制御プレーンパス情報記憶部
２１２  その他既存情報記憶部
ＰＡＴＨ３０１〜ＰＡＴＨ３０３  制御プレーンパス
ＭＬ４０１〜ＭＬ４０５  マネージメントリンク
ＤＬ５００〜ＤＬ５０９  通信リンク
ＣＬ６００〜ＣＬ６０８  制御メッセージ交換リンク
【図１】
2011239246.tif 000003
【図２】
2011239246.tif 000004
【図３】
2011239246.tif 000005
【図４】
2011239246.tif 000006
【図５】
2011239246.tif 000007
【図６】
2011239246.tif 000008
【図７】
2011239246.tif 000009
【図８】
2011239246.tif 000010
【図９】
2011239246.tif 000011
【図１０】
2011239246.tif 000012
【図１１】
2011239246.tif 000013
【図１２】
2011239246.tif 000014